(57)【要約】【課題】タグ情報の取得を通じたコンテンツの提供に際して用いられる情報の管理に要する煩雑さを低減することのできる情報管理サーバ、情報提供システム、情報提供方法、および、情報管理プログラムを提供する。【解決手段】情報管理サーバ４０は、商品ごとに割り当てられたタグ情報に、タグ情報が割り当てられている商品に関するコンテンツの提供元に関する情報であるコンテンツ情報を対応付けて記憶する記憶部と、タグ情報をタグ１０から受信する端末２０から、タグ情報を受け取る受信部と、端末２０から受け取ったタグ情報に対応付けられるコンテンツ情報を特定する情報特定部と、特定された前記コンテンツ情報を出力する出力部と、を備える。【選択図】図１
2015138280.tif 000002
【特許請求の範囲】
【請求項１】
商品ごとに割り当てられたタグ情報に、前記タグ情報が割り当てられている商品に関するコンテンツの提供元に関する情報であるコンテンツ情報を対応付けて記憶する記憶部と、
前記タグ情報をタグから受信する端末から、前記タグ情報を受け取る受信部と、
前記端末から受け取った前記タグ情報に対応付けられる前記コンテンツ情報を特定する情報特定部と、
前記特定された前記コンテンツ情報を出力する出力部と、
を備える情報管理サーバ。
【請求項２】
前記コンテンツ情報は、ＥＣサイトにおいて前記タグ情報が割り当てられている商品の内容を示すページを前記コンテンツとして提供するサーバのアドレスを含む
請求項１に記載の情報管理サーバ。
【請求項３】
前記コンテンツ情報は、ＥＣサイトにおいて前記タグ情報が割り当てられている商品を購入予定の商品として記録するページを前記コンテンツとして提供するサーバのアドレスを含む
請求項１に記載の情報管理サーバ。
【請求項４】
タグが有する情報を受信する端末と、
前記端末とネットワークを介して接続する情報管理サーバと、を備え、
前記情報管理サーバは、
商品ごとに割り当てられたタグ情報に、前記タグ情報が割り当てられている商品に関するコンテンツの提供元に関する情報であるコンテンツ情報を対応付けて記憶する記憶部と、
前記端末が前記タグから受信した前記タグ情報を、前記端末から受け取る受信部と、
前記端末から受け取った前記タグ情報に対応付けられる前記コンテンツ情報を特定する情報特定部と、
前記特定された前記コンテンツ情報を出力する出力部と、を備える
情報提供システム。
【請求項５】
タグが有する情報を受信する端末と、
前記端末とネットワークを介して接続する情報管理サーバと、を用いて行われる情報提供方法であって、
前記情報管理サーバが、
商品ごとに割り当てられたタグ情報に、前記タグ情報が割り当てられている商品に関するコンテンツの提供元に関する情報であるコンテンツ情報を対応付けて記憶する記憶部を備え、
前記情報管理サーバが、前記端末が前記タグから受信した前記タグ情報を、前記端末から受け取るステップと、
前記情報管理サーバが、前記端末から受け取った前記タグ情報に対応付けられる前記コンテンツ情報を特定するステップと、
前記特定された前記コンテンツ情報が出力されるステップと、
を含む情報提供方法。
【請求項６】
タグが有する情報を受信する端末とネットワークを介して接続する情報管理サーバを、
商品ごとに割り当てられたタグ情報に、前記タグ情報が割り当てられている商品に関するコンテンツの提供元に関する情報であるコンテンツ情報を対応付けて記憶する記憶部と、
前記端末が前記タグから受信した前記タグ情報を、前記端末から受け取る受信部と、
前記端末から受け取った前記タグ情報に対応付けられる前記コンテンツ情報を特定する情報特定部と、
前記特定された前記コンテンツ情報を出力する出力部と、
として機能させる情報管理プログラム。
【発明の詳細な説明】
【技術分野】
【０００１】
本開示の技術は、コンテンツの提供に用いられる情報管理サーバ、情報提供システム、情報提供方法、および、情報管理プログラムに関する。
【背景技術】
【０００２】
スマートポスターやデジタルサイネージ等の広告媒体に取り付けられるＩＣタグには、例えば、広告媒体に掲載されている商品に関するウェブサイトのＵＲＬ等がタグ情報として記憶されている。そして、ＩＣタグが有するタグ情報は、利用者が所持するスマートフォン等の端末に読み取られ、読み取られたタグ情報に基づいて、端末から上記ウェブサイト等へのアクセスが行われる。これにより、上記ウェブサイト等が提供するコンテンツが利用者に提供される（例えば特許文献１、特許文献２参照）。
【先行技術文献】
【特許文献】
【０００３】
【特許文献１】特開２００２−１６２９１８号公報
【特許文献２】特開２００２−２１５０４９号公報
【発明の概要】
【発明が解決しようとする課題】
【０００４】
ところで、上述のＩＣタグを用いたコンテンツの提供にて、広告媒体に掲載されている商品と提供されるコンテンツとの対応付けは、ＩＣタグに記憶されているタグ情報によって決定される。一方で、商品とコンテンツとの対応付けをＩＣタグごとに管理することが求められるため、多数の商品の各々について、ＩＣタグを介して、商品ごとのコンテンツが対応付けられるとなれば、情報の管理が煩雑とならざるを得ない。
【０００５】
本開示の技術は、タグ情報の取得を通じたコンテンツの提供に際して用いられる情報の管理に要する煩雑さを低減することのできる情報管理サーバ、情報提供システム、情報提供方法、および、情報管理プログラムを提供することを目的とする。
【課題を解決するための手段】
【０００６】
上記課題を解決する情報管理サーバは、商品ごとに割り当てられたタグ情報に、前記タグ情報が割り当てられている商品に関するコンテンツの提供元に関する情報であるコンテンツ情報を対応付けて記憶する記憶部と、前記タグ情報をタグから受信する端末から、前記タグ情報を受け取る受信部と、前記端末から受け取った前記タグ情報に対応付けられる前記コンテンツ情報を特定する情報特定部と、前記特定された前記コンテンツ情報を出力する出力部と、を備える。
【０００７】
上記課題を解決する情報提供システムは、タグが有する情報を受信する端末と、前記端末とネットワークを介して接続する情報管理サーバと、を備え、前記情報管理サーバは、商品ごとに割り当てられたタグ情報に、前記タグ情報が割り当てられている商品に関するコンテンツの提供元に関する情報であるコンテンツ情報を対応付けて記憶する記憶部と、前記端末が前記タグから受信した前記タグ情報を、前記端末から受け取る受信部と、前記端末から受け取った前記タグ情報に対応付けられる前記コンテンツ情報を特定する情報特定部と、前記特定された前記コンテンツ情報を出力する出力部と、を備える。
【０００８】
上記課題を解決する情報提供方法は、タグが有する情報を受信する端末と、前記端末とネットワークを介して接続する情報管理サーバと、を用いて行われる情報提供方法であって、前記情報管理サーバが、商品ごとに割り当てられたタグ情報に、前記タグ情報が割り当てられている商品に関するコンテンツの提供元に関する情報であるコンテンツ情報を対応付けて記憶する記憶部を備え、前記情報管理サーバが、前記端末が前記タグから受信した前記タグ情報を、前記端末から受け取るステップと、前記情報管理サーバが、前記端末から受け取った前記タグ情報に対応付けられる前記コンテンツ情報を特定するステップと、前記特定された前記コンテンツ情報が出力されるステップと、を含む。
【０００９】
上記課題を解決する情報管理プログラムは、タグが有する情報を受信する端末とネットワークを介して接続する情報管理サーバを、商品ごとに割り当てられたタグ情報に、前記タグ情報が割り当てられている商品に関するコンテンツの提供元に関する情報であるコンテンツ情報を対応付けて記憶する記憶部と、前記端末が前記タグから受信した前記タグ情報を、前記端末から受け取る受信部と、前記端末から受け取った前記タグ情報に対応付けられる前記コンテンツ情報を特定する情報特定部と、前記特定された前記コンテンツ情報を出力する出力部と、として機能させる。
【００１０】
上記構成によれば、情報管理サーバにおけるタグ情報とコンテンツ情報との対応付けによって、商品とコンテンツとの対応付けが決定される。したがって、商品とコンテンツとの対応付けが情報管理サーバにてまとめて管理されるため、商品とコンテンツとの対応付けがタグごとに管理される形態と比較して、商品とコンテンツとの対応付けの管理に要する煩雑さを低減することができる。
【００１１】
上記情報管理サーバにおいて、前記コンテンツ情報は、ＥＣサイトにおいて前記タグ情報が割り当てられている商品の内容を示すページを前記コンテンツとして提供するサーバのアドレスを含むことが好ましい。
【００１２】
上記構成によれば、コンテンツの提供元に、コンテンツとして、タグ情報が割り当てられている商品の内容を示すＥＣサイトのページを提供するサーバが含まれるため、商品と対応付けられるコンテンツが、商品の購入に際してのユーザの利便性を高められるコンテンツとなる。特に、ユーザは、上記コンテンツの提供を受けたときに、商品の内容の確認や詳細な選択ができるため、利便性が高い。
【００１３】
上記情報管理サーバにおいて、前記コンテンツ情報は、ＥＣサイトにおいて前記タグ情報が割り当てられている商品を購入予定の商品として記録するページを前記コンテンツとして提供するサーバのアドレスを含む。
【００１４】
上記構成によれば、コンテンツの提供元に、コンテンツとして、タグ情報が割り当てられている商品を購入予定の商品として記録するＥＣサイトのページを提供するサーバが含まれるため、商品と対応付けられるコンテンツが、商品の購入に際してのユーザの利便性を高められるコンテンツとなる。特に、ユーザは、上記コンテンツの提供を受けたときに、商品を購入予定の商品として記録させる操作を行う必要がないため、利便性が高い。
【発明の効果】
【００１５】
本開示の技術によれば、タグ情報の取得を通じたコンテンツの提供に際して用いられる情報の管理に要する煩雑さを低減することができる。
【図面の簡単な説明】
【００１６】
【図１】本開示の技術における一実施形態の情報提供システムの全体構成を示すシステム構成図である。
【図２】一実施形態における情報管理サーバの装置構成を示すブロック図である。
【図３】一実施形態におけるタグ情報とコンテンツ情報との対応関係を示す図である。
【図４】一実施形態でのコンテンツの提供の手順を示すシーケンス図である。
【発明を実施するための形態】
【００１７】
図１〜図４を参照して、情報管理サーバ、情報提供システム、情報提供方法、および、情報管理プログラムの一実施形態について説明する。
［情報提供システムの構成］
図１を参照して、情報提供システムの全体構成について説明する。
【００１８】
図１に示されるように、情報提供システムは、ＩＣタグ１０と、ユーザ端末２０と、コンテンツ提供サーバ３０と、情報管理サーバ４０とを含む。ユーザ端末２０と、コンテンツ提供サーバ３０と、情報管理サーバ４０とは、インターネット等のネットワークＮＷに接続されて、相互にデータを送信および受信する。
【００１９】
ＩＣタグ１０は、ＩＣチップやアンテナを備え、近距離無線通信によるデータの送受信が可能な装置である。ＩＣタグ１０の備えるＩＣチップは、タグ情報Ｉｔを記憶している。ＩＣタグ１０が有するタグ情報Ｉｔは、当該ＩＣタグ１０に固有の情報であって、ＩＣタグ１０ごとに割り当てられている。本実施形態において、タグ情報Ｉｔは、情報管理サーバ４０におけるアクセス先を示すアドレスとしてのＵＲＬ（ユニフォーム・リソース・ロケータ）に具体化される。
【００２０】
ＩＣタグ１０は、例えば、街頭や駅や商業施設に設置されるスマートポスターやデジタルサイネージ等の広告媒体に埋め込まれている。広告媒体には、ネットワークを通じて商品を販売するＥＣサイト（エレクトロニック・コマース・サイト）にて購入可能な商品の案内が掲載されている。そして、ＩＣタグ１０は、広告媒体に掲載されている商品ごとに、広告媒体に備えられている。例えば、広告媒体に１つの商品が掲載されている場合には、広告媒体には１つのＩＣタグ１０が備えられ、また、広告媒体に複数の商品が掲載されている場合には、各商品とＩＣタグとの対応が明示された状態で、広告媒体には商品と同数のＩＣタグ１０が備えられる。また例えば、ＩＣタグ１０は、ＥＣサイトにて購入可能な商品の見本に貼り付けられていてもよい。要は、１つのＩＣタグ１０は、１つの商品と対応付けられた状態で設置されていればよい。なお、商品はＥＣサイトで購入可能であれば、物品であってもよく、映像や音楽等の端末にダウンロード可能なデータであってもよく、旅行等のサービスであってもよい。
【００２１】
こうしたＩＣタグ１０の設置態様においては、タグ情報Ｉｔは商品ごとに割り当てられ、１つのタグ情報Ｉｔに１つの商品が対応付けられる。なお、タグ情報Ｉｔは、複数のＩＣタグ１０の各々に共通する情報であってもよく、例えば、同一の商品を掲載する複数の広告媒体では、複数のＩＣタグ１０の各々は、共通する１つのタグ情報Ｉｔを有していてもよい。
【００２２】
ユーザ端末２０は、近距離無線通信機能、ネットワークＮＷへの接続機能、および、ウェブサイトの閲覧機能を備える端末であり、例えば、ＮＦＣ（ニア・フィールド・コミュニケーション）に対応したスマートフォンに具体化される。ユーザ端末２０は、ＩＣタグ１０に割り当てられたタグ情報ＩｔをＩＣタグ１０から非接触で読み取り、読み取られたタグ情報Ｉｔに基づいて情報管理サーバ４０にアクセスする。そして、ユーザ端末２０は、情報管理サーバ４０から、コンテンツ情報Ｉｃを受信し、受信したコンテンツ情報Ｉｃに基づいてコンテンツ提供サーバ３０にアクセスする。なお、ネットワークＮＷには、こうした複数のユーザ端末２０が接続される。
【００２３】
コンテンツ提供サーバ３０は、ＥＣサイトを構築している。コンテンツ提供サーバ３０は、ＥＣサイト上で、商品に関するコンテンツを提供する。商品に関するコンテンツは、例えば、当該商品の内容を示す商品ページや、当該商品を購入予定の商品として記録するカートページ等に具体化される。コンテンツ提供サーバ３０は、ユーザ端末２０からのアクセスに応じて、コンテンツをユーザ端末２０に送信する。なお、ネットワークＮＷには、相互に異なるコンテンツを提供する複数のコンテンツ提供サーバ３０がコンテンツの提供元として接続されてもよい。
【００２４】
情報管理サーバ４０は、ユーザ端末２０からのアクセスに応じて、コンテンツの提供元を示すコンテンツ情報Ｉｃを特定する。そして、情報管理サーバ４０は、特定されたコンテンツ情報Ｉｃをユーザ端末２０に送信する。本実施形態において、コンテンツ情報Ｉｃは、コンテンツ提供サーバ３０におけるアクセス先を示すアドレスとしてのＵＲＬに具体化される。
【００２５】
［情報管理サーバの構成］
図２および図３を参照して、情報管理サーバ４０の構成について説明する。
図２に示されるように、情報管理サーバ４０は、通信部４１と、制御部４２と、記憶部４３とを備えている。
【００２６】
通信部４１は、情報管理サーバ４０とユーザ端末２０との接続処理を実行する。また、通信部４１は、受信部および出力部として機能し、情報管理サーバ４０とユーザ端末２０との間でデータの送信および受信を行う。
【００２７】
制御部４２は、ＣＰＵを含み、記憶部４３に記憶されたプログラムやデータに基づいて、通信部４１における通信の制御や記憶部４３における情報の読み出しを含め、各種の演算処理や情報管理サーバ４０の各部の制御を行う。
【００２８】
制御部４２は、情報提供システムによる情報提供方法を実現する構成の一部として、情報特定部４２ａを備えている。情報特定部４２ａは、通信部４１が受信したユーザ端末２０からのリクエストに応じ、記憶部４３に記憶された対応コンテンツデータ４３ａに基づいて、コンテンツ情報Ｉｃを特定する。特定されたコンテンツ情報Ｉｃは、通信部４１からユーザ端末２０に出力される。
【００２９】
記憶部４３は、制御部４２の処理に必要なプログラムやデータを一時的あるいは永続的に記憶する。こうしたデータの一例として、記憶部４３は、上記の対応コンテンツデータ４３ａを記憶している。対応コンテンツデータ４３ａでは、タグ情報Ｉｔとコンテンツ情報Ｉｃとが対応付けられている。
【００３０】
なお、制御部４２の情報特定部４２ａとしての機能は、複数のＣＰＵやメモリ等の各種のハードウェアによって具体化されてもよく、共通する１つのハードウェアに複数の機能を与えるソフトウェアによって具体化されてもよい。こうしたソフトウェアは、情報管理プログラムとして、記憶部４３に記憶される。
【００３１】
図３を参照して、ＩＣタグ１０が有するタグ情報Ｉｔと、対応コンテンツデータ４３ａを構成するコンテンツ情報Ｉｃとの対応関係について説明する。
図３に示されるように、タグの識別情報がタグＩＤとして設定され、１つのタグＩＤには、１つのタグ情報Ｉｔが対応付けられている。また、対応コンテンツデータ４３ａにおいて、１つのコンテンツ情報Ｉｃは、１つのタグ情報Ｉｔに対応付けられる状態で記憶されている。
【００３２】
例えば、「００１」のタグＩＤを有するＩＣタグ１０には、タグ情報Ｉｔとして「ｈｔｔｐ：／／△△／ａｂｃ」が記憶されている。すなわち、「００１」というタグＩＤは、「ｈｔｔｐ：／／△△／ａｂｃ」というタグ情報Ｉｔと対応付けられている。ここで、タグ情報ＩｔとしてのＵＲＬのうち、「△△」は、情報管理サーバ４０のドメイン名を示す。また、「ａｂｃ」は、情報管理サーバ４０内におけるファイルのパス名を示す。すなわち、「００１」のタグＩＤには、情報管理サーバ４０の「ａｂｃ」に対応するファイルをアクセス先として指定する情報が対応付けられている。
【００３３】
そして、タグ情報Ｉｔにて指定されるアクセス先のファイル、すなわち「ａｂｃ」に対応するファイルには、「Ａコンテンツ」を提供するコンテンツ提供サーバ３０のＵＲＬであるコンテンツ情報Ｉｃが記憶されている。このように、タグ情報Ｉｔには、コンテンツ情報Ｉｃが対応付けられている。「Ａコンテンツ」は、コンテンツ情報Ｉｃと対応付けられているタグ情報Ｉｔが割り当てられている商品に関するコンテンツである。例えば、「ｈｔｔｐ：／／△△／ａｂｃ」というタグ情報Ｉｔを有するＩＣタグ１０が商品である「スカートＳ」に割り当てられるとき、「ｈｔｔｐ：／／△△／ａｂｃ」というタグ情報Ｉｔは商品「スカートＳ」に割り当てられ、「Ａコンテンツ」は、ＥＣサイトにおける「スカートＳ」の内容を示す商品ページに具体化される。
【００３４】
互いに異なる商品に割り当てられたタグ情報Ｉｔの各々には、そのタグ情報Ｉｔが割り当てられている商品に関するコンテンツに対応するコンテンツ情報Ｉｃが対応付けられる。
【００３５】
［情報提供システムの作用］
図４を参照して、情報提供システムによるコンテンツの提供の手順について説明する。なお、以下では、ＩＣタグ１０が有するタグ情報Ｉｔと情報管理サーバ４０にて対応付けられているコンテンツ情報Ｉｃが、ＥＣサイトにおける商品の内容を示す商品ページのＵＲＬである例について説明する。
【００３６】
まず、例えば、広告媒体に掲載されている商品の購入を希望するユーザによって、ユーザ端末２０における近距離無線通信によるデータの読み取り部がＩＣタグ１０にかざされる。これにより、ＩＣタグ１０に記憶されているタグ情報Ｉｔが、ユーザ端末２０に読み取られる（ステップＳ１０）。タグ情報Ｉｔが読み取られると、ユーザ端末２０は、タグ情報Ｉｔによって特定される情報管理サーバ４０のアクセス先に対するリクエストを情報管理サーバ４０に送信する（ステップＳ１１）。すなわち、情報管理サーバ４０は、アクセス先として指定された態様で、ユーザ端末２０からタグ情報Ｉｔを受け取る。
【００３７】
情報管理サーバ４０の情報特定部４２ａは、ユーザ端末２０からのリクエストに応じ、記憶部４３に記憶されている対応コンテンツデータ４３ａを参照して、指定されたアクセス先に記憶されるコンテンツ情報Ｉｃを特定する（ステップＳ１２）。そして、情報特定部４２ａは、通信部４１を介して、特定されたコンテンツ情報Ｉｃをレスポンスとしてユーザ端末２０に送信する。これにより、ＩＣタグ１０が有するタグ情報Ｉｔに情報管理サーバ４０にて対応付けられているコンテンツ情報Ｉｃがユーザ端末２０に送信される（ステップＳ１３）。ユーザ端末２０に送信されるコンテンツ情報Ｉｃは、ユーザ端末２０がタグ情報Ｉｔを読み取ったＩＣタグ１０が割り当てられている商品の商品ページのＵＲＬである。
【００３８】
情報管理サーバ４０からコンテンツ情報Ｉｃを受信すると、ユーザ端末２０は、コンテンツ情報Ｉｃによって特定されるコンテンツ提供サーバ３０のアクセス先に対するリクエストをコンテンツ提供サーバ３０に送信する（ステップＳ１４）。
【００３９】
コンテンツ提供サーバ３０は、ユーザ端末２０からのリクエストに応じ、レスポンスとしてコンテンツをユーザ端末２０に送信する。具体的には、コンテンツ提供サーバ３０は、商品ページのデータをユーザ端末２０に送信する（ステップＳ１５）。
【００４０】
コンテンツ提供サーバ３０からコンテンツを受信すると、ユーザ端末２０は、受信したコンテンツをユーザ端末２０が備える表示部に表示する（ステップＳ１６）。すなわち、ユーザ端末２０には、ユーザ端末２０がタグ情報Ｉｔを読み取ったＩＣタグ１０が割り当てられている商品の商品ページが表示され、これにより、コンテンツがユーザに提供される。
【００４１】
以後、例えば、ユーザは、商品ページにて、商品の内容の確認や購入する商品のサイズや数量等の選択を行い、ＥＣサイトにおける商品の購入手続きを進める。
なお、ユーザ端末２０がタグ情報Ｉｔを読み取ったＩＣタグ１０が割り当てられている商品を購入予定の商品として記録するカートページが、コンテンツとして提供されてもよい。この場合、コンテンツ情報Ｉｃは、購入予定の商品としてカートページに記録される商品を受付けるＵＲＬとされる。そして、コンテンツ情報Ｉｃには、コンテンツ情報Ｉｃに対応付けられているタグ情報Ｉｔが割り当てられている商品の識別情報が関連付けられ、商品の識別情報はコンテンツ情報Ｉｃとともにユーザ端末２０に送信される。コンテンツ情報Ｉｃを受信したユーザ端末２０は、コンテンツ情報Ｉｃによって特定されるコンテンツ提供サーバ３０のアクセス先に対するリクエストを、商品の識別情報とともに、コンテンツ提供サーバ３０に送信する。その結果、コンテンツ提供サーバ３０は、受信した識別情報に対応する商品が記録されたカートページのデータをユーザ端末２０に送信する。これにより、ユーザ端末２０には、ユーザ端末２０がタグ情報Ｉｔを読み取ったＩＣタグ１０が割り当てられている商品が記録されたカートページが表示される。以後、例えば、ユーザは、カートページにて、ＥＣサイトにおける商品の購入手続きを進める。
【００４２】
上記構成によれば、ユーザは、商品をカートページに記録させる操作をユーザ端末２０にて行う必要がないため、商品の購入に際してのユーザの利便性が高められる。特に、ユーザが複数の商品を購入したい場合には、購入したい商品に対応する複数のＩＣタグ１０にユーザ端末２０を順にかざすことによって、ユーザは、購入したい商品がすべて記録されたカートページを取得できるため、利便性がさらに高まる。
【００４３】
一方、コンテンツとして商品の内容を示す商品ページが提供される場合、ユーザは、商品ページにて、商品の内容の確認や購入する商品のサイズや数量等の選択を行うことができる。したがって、こうした商品の確認や商品の詳細な選択が必要な場合には、コンテンツ情報Ｉｃは、商品ページのＵＲＬであることが好ましい。
【００４４】
このように、情報管理サーバ４０では、ＩＣタグ１０が有するタグ情報Ｉｔと、当該タグ情報Ｉｔが割り当てられている商品に関するコンテンツの提供元を示すコンテンツ情報Ｉｃとが対応付けられている。そして、情報管理サーバ４０は、ユーザ端末２０から受け取ったタグ情報Ｉｔに合致するタグ情報Ｉｔに対応付けられているコンテンツ情報Ｉｃを特定して、ユーザ端末２０へコンテンツ情報Ｉｃを送信する。これにより、ユーザ端末２０は、コンテンツ情報Ｉｃを利用して、商品に関するコンテンツの提供を受けることができる。
【００４５】
すなわち、本実施形態では、ＩＣタグ１０が割り当てられている商品と、提供されるコンテンツとの対応付けは、情報管理サーバ４０におけるタグ情報Ｉｔとコンテンツ情報Ｉｃとの対応付けによって決定される。したがって、商品とコンテンツとの対応付けが情報管理サーバ４０にてまとめて管理されるため、商品とコンテンツとの対応付けがＩＣタグ１０ごとに管理される形態と比較して、商品とコンテンツとの対応付けの管理に要する煩雑さを低減することができる。また、例えば、ＩＣタグ１０を通じて提供されるコンテンツを確認する際にも、ＩＣタグ１０の設置場所への移動や設置場所でのタグ情報Ｉｔの取得を行わずとも、情報管理サーバ４０が有する対応コンテンツデータ４３ａの確認によってコンテンツの確認が可能であるため、確認作業に要する労力が軽減される。
【００４６】
また、提供されるコンテンツが、ＥＣサイトにおける商品ページやカートページであるため、ユーザは、広告媒体等を参照して商品を購入したいと思ったときに、その商品を取り扱っているＥＣサイトを探したり、ＥＣサイトにてその商品を探したりすることなく、商品を購入することができる。したがって、商品の購入に際してのユーザの利便性が高められる。
【００４７】
以上説明したように、本実施形態によれば、以下に列挙する効果が得られる。
（１）ＩＣタグ１０が割り当てられている商品と、ＩＣタグ１０を通じて提供されるコンテンツとの対応付けが、情報管理サーバ４０にてまとめて管理されるため、商品とコンテンツとの対応付けの管理に要する煩雑さを低減することができる。
【００４８】
（２）タグ情報Ｉｔに対応付けられているコンテンツ情報Ｉｃが、ＥＣサイトにおいてタグ情報Ｉｔが割り当てられている商品の内容を示すページをコンテンツとして提供するサーバのアドレスであると、商品と対応付けられるコンテンツが、商品の購入に際してのユーザの利便性を高められるコンテンツとなる。特に、ユーザは、コンテンツの提供を受けたときに、商品の内容の確認や詳細な選択ができるため、利便性が高い。
【００４９】
（３）タグ情報Ｉｔに対応付けられているコンテンツ情報Ｉｃが、ＥＣサイトにおいてタグ情報Ｉｔが割り当てられている商品を購入予定の商品として記録するページをコンテンツとして提供するサーバのアドレスであると、商品と対応付けられるコンテンツが、商品の購入に際してのユーザの利便性を高められるコンテンツとなる。特に、ユーザは、コンテンツの提供を受けたときに、商品をカートページに記録させる操作をユーザ端末２０にて行う必要がないため、利便性が高い。
【００５０】
（変形例）
上記実施形態は、以下のように変更して実施することが可能である。
・ＩＣタグ１０は、タグＩＤのみを記憶し、情報管理サーバ４０の記憶部４３は、コンテンツ情報ＩｃをタグＩＤに対応付けて記憶してもよい。この構成にて、ユーザ端末２０によって読み取られたＩＣタグ１０のタグＩＤは、ユーザ端末２０から情報管理サーバ４０に送信され、情報管理サーバ４０は、受信されたタグＩＤに対応付けられているコンテンツ情報Ｉｃを特定する。要するに、ＩＣタグ１０が有するタグ情報Ｉｔは、ＵＲＬに限らず、当該タグに固有の情報であって、タグごとに割り当てられた情報であればよい。そして、情報管理サーバ４０の記憶部４３は、コンテンツ情報Ｉｃをタグ情報Ｉｔに対応付けて記憶する構成であればよい。
【００５１】
・商品に関するコンテンツは、ＥＣサイトにおける商品ページやカートページの他に、商品のクーポンや、商品に関するキャンペーン情報等であってもよく、商品に関連する情報としてユーザが利用可能な形態で提供される情報であればよい。
【００５２】
・コンテンツ情報Ｉｃは、タグ情報Ｉｔが割り当てられている商品に関するコンテンツの提供元に関する情報であればよく、多数のコンテンツの中から推薦されるコンテンツを選定し、当該コンテンツの提供元を示す推薦コンテンツ情報を動的に作成するサーバである推薦コンテンツ選定サーバのアドレスであってもよい。この場合、コンテンツ情報Ｉｃには、コンテンツ情報Ｉｃに対応付けられているタグ情報Ｉｔが割り当てられている商品の識別情報が関連付けられる。情報管理サーバ４０は、タグ情報Ｉｔに基づいて特定したコンテンツ情報Ｉｃが、推薦コンテンツ選定サーバのアドレスであるときに、推薦コンテンツ選定サーバに向けて商品の識別情報を送信する。そして、推薦コンテンツ選定サーバは、商品の識別情報を利用して、識別情報に対応する商品に関するコンテンツを選定し、選定されたコンテンツを提供するサーバのＵＲＬを推薦コンテンツ情報としてユーザ端末２０に送信する。ユーザ端末２０は推薦コンテンツ情報に基づいてコンテンツ提供サーバ３０にアクセスし、コンテンツの提供を受ける。これにより、ユーザ端末２０がタグ情報Ｉｔを読み取ったＩＣタグ１０が割り当てられている商品に関するコンテンツが、ユーザに提供される。上述の場合、情報管理サーバ４０の制御部４２は出力部として機能し、タグ情報Ｉｔに基づいて特定したコンテンツ情報Ｉｃを通信部４１に出力する。
【００５３】
なお、情報管理サーバ４０は、タグ情報Ｉｔを取得して情報管理サーバ４０にアクセスしたユーザ端末２０の識別情報や、アクセス回数、ユーザ端末２０の取得したタグ情報Ｉｔが割り当てられている商品等の情報を履歴データとして記憶し、商品の識別情報とともに履歴データを推薦コンテンツ選定サーバに送信してもよい。そして、推薦コンテンツ選定サーバは、商品の識別情報とともに履歴データを利用して推薦されるコンテンツを選定してもよい。
【００５４】
・情報管理サーバ４０にて、１つのタグ情報Ｉｔに複数のコンテンツ情報Ｉｃが対応付けられていてもよい。この場合、情報管理サーバ４０は、タグ情報Ｉｔに加えて、例えば時刻情報等のタグ情報Ｉｔとは異なる付加情報を取得し、付加情報に応じてタグ情報Ｉｔに対応付けられる複数のコンテンツ情報Ｉｃの中から１つのコンテンツ情報Ｉｃを特定する。こうした構成によれば、１つのＩＣタグ１０を通じて、互いに異なるコンテンツを提供することが可能となる。
【００５５】
・上記実施形態では、ＩＣチップを備えたＩＣタグ１０と、非接触でＩＣタグ１０の有する情報を読み取るユーザ端末２０とを用いたが、これに代えて、例えば二次元バーコード等、端末によって読み取り可能な情報を保持する記憶媒体をタグとして用い、対応する読み取り端末をユーザ端末として用いてもよい。また、タグは、タグが記憶しているタグ情報を、例えばＢｌｕｅｔｏｏｔｈ（登録商標）を利用した無線通信等の近距離無線通信によって発信する装置であってもよく、この場合、ユーザ端末としては、タグが使用する近距離無線通信に対応した通信機能を有してタグ情報を受信可能な端末が用いられる。要は、タグは、タグが有するタグ情報を、ユーザ端末からの要求に応じて、あるいは自発的に、ユーザ端末に受け渡す物であればよい。
【符号の説明】
【００５６】
ＮＷ…ネットワーク、１０…ＩＣタグ、２０…ユーザ端末、３０…コンテンツ提供サーバ、４０…情報管理サーバ、４１…通信部、４２…制御部、４２ａ…情報特定部、４３…記憶部、４３ａ…対応コンテンツデータ。
【図１】
2015138280.tif 000003
【図２】
2015138280.tif 000004
【図３】
2015138280.tif 000005
【図４】
2015138280.tif 000006